(57)【特許請求の範囲】
【請求項１】
それ自体外形が変化する程に剛性の無い被包装物と、前記被包装物を上面に載置する剛性を備えた台紙と、前記台紙上に載置された被包装物を外被するよう設けられたフィルムとを有する包装体であって、
前記台紙が、被包装物を上面に載置する載置部と、当該載置部の長手方向の一方の端から他方の端にわたって前記上面に載置された被包装物の上端と同じか又はより高い位置まで高さ方向に延設された立設部とを有し、
前記フィルムが片ガセットの形態で前記台紙とその上の被包装物を外被するように、且つ、当該片ガセットの形態のマチ部が前記台紙の立設部の背面側に形成されるように、当該フィルムの前後方向の両端部が溶着シールされることでピロー包装されていることを特徴とする包装体。
【請求項２】
前記台紙が１枚の板状材料で構成され、前記立設部と載置部との境目に折り線が形成され、当該折り線で前記立設部と載置部とが所定角度を形成するように屈曲されていることを特徴とする請求項１記載の包装体。
【請求項３】
前記台紙に、前記折り線と平行又は略平行に第２の折り線が形成され、かかる第２の折り線によって前記立設部と反対側に補助立設部が形成されていることを特徴とする請求項１又は２記載の包装体。
【請求項４】
それ自体外形が変化する程に剛性の無い被包装物を、載置部の上に載置した状態で当該載置部の一方の端からもう一方の端にわたって当該載置した被包装物の上端と同じか又はより高い位置まで高さ方向に延設された立設部を有する剛性を備えた台紙上に載置して、当該載置された被包装物をフィルムで外被する包装方法であって、
前記立設部と載置部との境目に折り線が形成され当該折り線で前記立設部と載置部とが所定角度を有するように屈曲されている台紙上に、被包装物を載置するステップと、
前記フィルムによって前記被包装物の上方を外被するような状態で、フィルムの両端部をセンターシールし、しかる後に、ガセット爪で前記立設部の略頂部に沿って前記被包装物の長手方向にフィルムの折り目が形成されるようにガセットを形成する状態で、前記台紙下方でトップシールし、前記被包装物が前記立設部を背面にしてフィルム越しに見えるように、片ガセットの形態の横ピロー包装をするステップと、
を有することを特徴とする包装方法。
【請求項５】
前記包装方法において、前記所定角度が、略６０度〜略１００度程度であることを特徴とする請求項４記載の包装方法。
【請求項６】
それ自体外形が変化する程に剛性の無い被包装物を、載置部の上に載置した状態で当該載置部の一方の端からもう一方の端にわたって当該載置した被包装物の上端と同じか又はより高い位置まで高さ方向に延設された立設部を有する剛性を備えた台紙上に載置して、当該載置する台紙と被包装物とをフィルムで外被する、包装装置であって、
かかる包装装置が、
フィルムで前記被包装物を包装する包装装置本体を有し、
前記包装装置本体が、
前記台紙の載置部上に載置された被包装物を内包するべく、帯状のフィルムの幅方向の両端同士を長手方向に沿ってセンターシールをおこなうセンターシール部と、前記センターシール部の下流方に配置され、前記被包装物の前後を幅方向にトップシールをおこなうトップシール部と、前記トップシールを実施する際に前記フィルムの前記立設部の略頂部の稜線に沿うよう当該立設部の近傍にガセットの折り目を形成すべく、前後一対設けられたガセット爪を有する、片ガセット形成機構とを備えていることを特徴とする包装装置。
【請求項７】
前記包装装置は、剛性を備えた台紙上に被包装物が載置された形態のものをフィルムで外被するように包装する包装装置本体の上流側に、前記台紙と被包装物とをフィルムで外被した内部にシート状の形態又は薄厚の袋入り形態の脱酸素剤を所定位置に挿置する脱酸素剤供給装置を有するものであって、
前記脱酸素剤供給装置が、駆動ローラコンベヤを有し、かかる駆動ローラコンベヤが「前記シート状の形態又は薄厚の袋入り形態の脱酸素剤」を下方から支持する少なくとも２本のコンベヤローラを備え、且つ、前記少なくとも２本のコンベヤローラが同期してそれぞれ回転駆動するよう構成されるとともに、
前記脱酸素剤供給装置の上流側に、台紙上に載置された被包装物を供給する供給コンベヤが配置され、
前記脱酸素剤供給装置の前記少なくとも２本のコンベヤローラ上に跨がるように、前記脱酸素剤を載置する載置装置が設けられ、かかる載置装置が前記供給コンベヤによって供給される「台紙上に載置された被包装物」が供給される前に前記脱酸素剤を前記コンベヤローラに載置するようなタイミングで動作するべく構成されていることを特徴とする請求項６記載の包装装置。
【請求項８】
前記包装装置本体の上流側に前記台紙に載置された被包装物を供給する供給コンベヤをさらに有し、かかる供給コンベヤが前記包装装置本体に適宜タイミングで被包装物を供給するよう構成されていることを特徴とする請求項７記載の包装装置。
【請求項９】
前記包装装置において、
前記駆動ローラコンベヤの搬送面が前記供給コンベヤの搬送面より高さ的に低く構成されているとともに、前記駆動ローラコンベヤの搬送速度が前記供給コンベヤの搬送速度と同じ速度かより速い速度で搬送するよう構成されていることを特徴とする請求項７又は８記載の包装装置。
【請求項１０】
前記包装装置において、
前記包装装置本体が、
前記台紙の載置部上に載置された被包装物を内包するべく、帯状のフィルムの幅方向の両端同士を長手方向に沿ってセンターシールをおこなうセンターシール部と、前記センターシール部の下流方に配置され、前記被包装物の前後を幅方向にトップシールをおこなうトップシール部と、前記トップシールを実施する際に前記フィルムの前記立設部の略頂部の稜線に沿うよう当該立設部の近傍にガセットの折り目が形成されるように、前後一対設けられたガセット爪を有する片ガセット形成機構とを備えている包装装置本体である請求項７〜９のいずれか１の項に記載の包装装置。
【発明の詳細な説明】
【技術分野】
【０００１】
この発明は、生八橋等のそれ自体剛性の無い菓子や食品等（以下、菓子等という）に好適な包装体  （この明細書および特許請求の範囲等において単に「包装体」ともいう）とその包装方法および包装装置に関する。この明細書および特許請求の範囲において「剛性の無い菓子等」とは、自重で変形する菓子等をいう。
【背景技術】
【０００２】
菓子等（この明細書および特許請求の範囲において「被包装物」という）の場合、作業の工程上あるいは衛生上等の各観点から、製造工程の最終段階でフィルムラッピングされることが多い。  前述のようにフィルムラッピングされた後は、そのまま又は化粧箱等に所定数箱詰めされて、販売される。  かかる場合、前記化粧箱に箱詰される場合には、箱の蓋を外した状態で前記フィルムラッピングされた菓子等の外観が綺麗に見えるような状態でおこなわれるか否かが商品として重要な要素となる。つまり、販売において需要者の高い評価が得られるか否かの判断の基準となる。
このため、菓子等のメーカにとって、菓子等の商品自体の優劣は当然のことながら、その包装形態の優劣も、商品が売れるか否かの点で重要となり、菓子メーカは包装形態にも種々工夫をこらしている。
そして、前記フィルムラッピングされる際、被包装物が菓子等の場合には、酸化防止の観点から、略シート状の形態又は薄厚の袋入り形態の「脱酸素剤」が当該フィルムラッピング内部に挿置される。
【０００３】
ところで、菓子、例えば「生八橋」のように、それ自体に剛性が無く、且つ、それを包装するフィルムラッピングにも剛性が無い場合には、従来、共通の大きなトレー（あるいは台紙）の上に複数の菓子等を並べて全体をフィルムラッピングし、全体あるいは複数個の被包装物が一体のものとして化粧箱に入れられている。例えば、特許文献１に記載されているように、剛性を有するトレー上に、複数の被包装物を載置して全体をフィルムラッピングするような形態が採用されている。
【先行技術文献】
【特許文献】
【０００４】
【特許文献１】特開平11−278538
【発明の概要】
【発明が解決しようとする課題】
【０００５】
しかしながら、前述のように、複数の被包装物を一つのトレー上に載置してフィルムラッピングした場合には、当該フィルムラップングしたものを開封すると内部の被包装物全てが大気に晒されて比較的短期間のうちに酸化がすすみ、品質を維持できない。
また、前述のような包装形態は、包装形態として高級感が損なわれるという問題もあった。つまり、一般に「高級菓子」の場合には、１つ１つ別個に包装されている。
【０００６】
本発明は、このような状況に鑑みておこなわれたもので、菓子等のそれ自体剛性を有しない被包装物を一定の形態を保持するように一つづつ別個に包装（フィルムラッピング）した包装体と、その包装方法および包装装置等を提供することを目的とする。
【課題を解決するための手段】
【０００７】
本第１の発明にかかる包装体は、それ自体外形が変化する程に剛性の無い被包装物と、前記被包装物を上面に載置する剛性を備えた台紙と、前記台紙上に載置された被包装物を外被するよう設けられたフィルムとを有する包装体であって、
前記台紙が、被包装物を上面に載置する載置部と、当該載置部の長手方向の一方の端から他方の端にわたって前記上面に載置された被包装物の上端と同じか又はより高い位置まで高さ方向に延設された立設部とを有し、
前記フィルムが片ガセットの形態で前記台紙とその上の被包装物を外被するように、且つ、当該片ガセットの形態のマチ部が前記台紙の立設部の背面側に形成されるように、当該フィルムの前後方向の両端部が溶着シールされることでピロー包装されていることを特徴とする。
【０００８】
前述のように包装体が形成され、前記フィルムとして透明フィルムを使用すれば、前記台紙の立設部を背面にして、当該台紙の載置部上に載置されている被包装体がフィルムを通して良く見える状態で且つ前記立設部で被包装物が背面から強調された状態で、フィルムによって包装されることになる。
しかも、被包装体自体に外形が変化する程に剛性が無い場合であって且つ剛性のないフィルムで外被される場合であっても、前記台紙により全体として剛性が付与される。  このことから、被包装体を個別にフィルム包装しても一定の外形を維持することが可能で、当該個別に包装された被包装体を化粧箱等に入れることが可能となる。勿論、本第１の発明にかかる包装体は、被包装物自体に剛性があるものの包装についても適用できる。
【０００９】
前記台紙が１枚の板状材料で構成され、前記立設部と載置部との境目に折り線が形成され、当該折り線で前記立設部と載置部とが所定角度を形成するように屈曲されていると、台紙の剛性を高める上で且つフィルムで包装された被包装物を背面側から立設部で強調する上で、好ましい実施形態となる。
【００１０】
前記台紙に、前記折り線と平行又は略平行になった第２の折り線が形成され、かかる第２の折り線によって前記立設部の反対側に補助立設部が形成された台紙であれば、より剛性を高めることができる点で、且つ前記立設部と補助立設部で被包装物を両側から挟むような状態で包装がなされ、その状態を維持できる点で好ましい。また、このように構成すると、前記立設部と補助立設部によってフィルムが内方から支持されることから、当該フィルムが被包装物に接触しないように包装できる点でも好ましい包装体となる。
【００１１】
本第２の発明にかかる包装方法は、それ自体外形が変化する程に剛性の無い被包装物を、載置部の上に載置した状態で当該載置部の一方の端からもう一方の端にわたって当該載置した被包装物の上端と同じか又はより高い位置まで高さ方向に延設された立設部を有する剛性を備えた台紙上に載置して、当該載置された被包装物をフィルムで外被する包装方法であって、
前記立設部と載置部との境目に折り線が形成され当該折り線で前記立設部と載置部とが所定角度を有するように屈曲されている台紙上に、被包装物を載置するステップと、
前記フィルムによって前記被包装物の上方を外被するような状態で、当該フィルムの両端部をセンターシールし、しかる後に、ガセット爪で前記立設部の略頂部に沿って前記被包装物の長手方向にフィルムの折り目が形成されるようにガセットを形成する状態で、前記台紙下方でトップシールし、前記被包装物が前記立設部を背面にしてフィルム越しに見えるように、片ガセットの形態の横ピロー包装をするステップと、
を有することを特徴とする。
【００１２】
前述の包装方法によると、被包装物自体が外形を維持できない程に剛性の無いものであっても、前記台紙により全体として剛性が付与され、しかも、台紙の立設部の略頂部にフィルムの折り目が形成されるような状態で、且つ前記載置部上に被包装物が載置された形態で、フィルムによって外被されることから、包装体をそれぞれ１つづつ個別に包装して、化粧箱等に入れることが可能となる。
そして、フィルム内の被包装物は、前記立設部を背面（背景）にした状態で、フィルムの概ね折り目のない箇所を通して外部から視認できるため、被包装物が良好に見えることとなる。  従って、被包装物に綺麗な意匠が施されている場合にはその意匠が生きた状態で包装される。
ところで、前記被包装物としては、勿論、当該被包装物自体に剛性があってもよい。
【００１３】
前記包装方法において、前記所定角度が、略６０度〜略１００度程度であると、高い剛性を生じさせる上で好ましく、且つ上方又は斜め上方から被包装物が良く視認できるような包装形態が実現できる上で好ましい。
【００１４】
本第３の発明にかかる包装装置は、
それ自体外形が変化する程に剛性の無い被包装物を、載置部の上に載置した状態で当該載置部の一方の端からもう一方の端にわたって当該載置した被包装物の上端と同じか又はより高い位置まで高さ方向に延設された立設部を有する剛性を備えた台紙上に載置して、当該載置する台紙と被包装物とをフィルムで外被する、包装装置であって、
かかる包装装置が、
フィルムで前記被包装物を包装する包装装置本体を有し、
前記包装装置本体が、
前記台紙の載置部上に載置された被包装物を内包するべく、帯状のフィルムの幅方向の両端同士を長手方向に沿ってセンターシールをおこなうセンターシール部と、前記センターシール部の下流方に配置され、前記被包装物の前後を幅方向にトップシールをおこなうトップシール部と、前記トップシールを実施する際に前記フィルムの前記立設部の略頂部の稜線に沿うよう当該立設部の近傍にガセットの折り目を形成すべく、前後一対設けられたガセット爪を有する、片ガセット形成機構とを備えていることを特徴とする。
【００１５】
本第３の発明にかかる包装装置によれば、ガセットによるフィルムの折り目が被包装物の斜め上方からの視認を妨げることのないように、しかも包装が形態的に無理がないように、片ガセットの形態で前記台紙の載置部上に載置された状態で、且つ、前記立設部が被包装物の背面に位置する状態で、かかる被包装物がフィルムで外被されることとなる。そして、前記トップシールにより、前記フィルムの前後方向の両端部が溶着シールされることで、被包装物を外被したフィルム内部が外気側と隔離された状態の、ピロー包装をおこなうことができる。
つまり、本第３の発明にかかる包装装置は、前記本第１の発明にかかる包装体を実現できる。
【００１６】
前記包装装置において、前記包装装置本体の上流側に前記台紙に載置された被包装物を供給する供給コンベヤをさらに有し、かかる供給コンベヤが前記包装装置本体に適宜タイミングで被包装物を供給するよう構成されていると、効率の高い包装装置となる。
【００１７】
本第４の発明にかかる包装装置は、剛性を備えた台紙上に被包装物が載置された形態のものをフィルムで外被するように包装する包装装置本体の上流側に、前記台紙と被包装物とをフィルムで外被した内部にシート状の形態又は薄厚の袋入り形態の脱酸素剤を所定位置に挿置する脱酸素剤供給装置を有する包装装置であって、
前記脱酸素剤供給装置が、駆動ローラコンベヤを有し、かかる駆動ローラコンベヤが「前記シート状の形態又は薄厚の袋入り形態の脱酸素剤」を下方から支持する少なくとも２本のコンベヤローラを備え、且つ、前記少なくとも２本のコンベヤローラが同期してそれぞれ回転駆動するよう構成されるとともに、
前記脱酸素剤供給装置の上流側に、台紙上に載置された被包装物を供給する供給コンベヤが配置され、
前記脱酸素剤供給装置の前記少なくとも２本のコンベヤローラ上に跨がるように、前記脱酸素剤を載置する載置装置が設けられ、かかる載置装置が前記供給コンベヤによって供給される「台紙上に載置された被包装物」が供給される前に、前記脱酸素剤を前記コンベヤローラに載置するようなタイミングで動作するべく構成されていることを特徴とする。
【００１８】
本第４の発明にかかる包装装置によれば、前記台紙の底面積が小さい場合にも、また、脱酸素剤の底面積が小さい場合でも、確実に且つ自動的に台紙下方に脱酸素剤を供給することができる。
そして、台紙下方に脱酸素剤が正確に且つ確実に配置された状態で、前記包装装置本体においてフィルムによって外被されることによって、包装体の内部に且つ見えない台紙下方に脱酸素剤を挿置することが可能となる。
【００１９】
前記第４の包装装置において、前記駆動ローラコンベヤの搬送面が前記供給コンベヤの搬送面より高さ的に低く構成されているとともに、前記駆動ローラコンベヤの搬送速度が前記供給コンベヤの搬送速度と同じ速度かより速い速度で搬送するよう構成されていると、前記供給コンベヤで供給される「台紙上に載置された被包装物」の当該台紙の下方に確実に脱酸素剤が位置する状態で、下流側に配置された前記包装装置本体へ、供給することができる。
【００２０】
前記本第４の発明にかかる包装装置本体が、前記本第３の発明にかかる包装装置に記載されている包装装置本体であると、前記台紙の下方に脱酸素剤が位置した状態で、フィルムによって横ピロー包装することができる点で好ましい構成となる。
つまり、前記包装装置本体が、前記台紙の載置部上に載置された被包装物を内包するべく、帯状のフィルムの幅方向の両端同士を長手方向に沿ってセンターシールをおこなうセンターシール部と、前記センターシール部の下流方に配置され、前記被包装物の前後を幅方向にトップシールをおこなうトップシール部と、前記トップシールを実施する際に前記フィルムの前記立設部の略頂部の稜線に沿うよう当該立設部の近傍にガセットの折り目を形成するべくに、前後一対設けられたガセット爪を有する片ガセット形成機構とを備えたものであると、好ましい。
【発明の効果】
【００２１】
本発明によると、菓子等のそれ自体剛性を有しない被包装物を一定の形態を保持するように一つづつ別個に包装（フィルムラッピング）することができる包装体と、その包装方法および包装装置を提供することができる。しかも、前記包装体内の台紙下方に脱酸素剤を挿置することができる。
【図面の簡単な説明】
【００２２】
【図１】本発明の１つの実施形態にかかる包装体の外観形状を示す図で、（ａ）は包装体をやや斜め上方から見た斜視図、（ｂ）は（ａ）のｂ１−ｂ２矢視方向から見た図である。
【図２】図１に示す包装体に包装するための包装装置の構成を示す図で、（ａ）は包装装置全体の要部を示す図、（ｂ）は（ａ）に示す包装装置の脱酸素剤供給装置の一部を示す部分の拡大図、（ｃ）は（ａ）に示すトップシール部の部分拡大図である。
【図３】図２（ｂ）に示す脱酸素剤供給装置のより詳細な且つ全体の構成を示す図である。
【図４】図１〜図３に示す包装装置の全体の構成を示すブロック図である。
【発明を実施するための形態】
【００２３】
以下、本発明の１つの実施形態にかかる包装体と、その包装方法および包装装置を、図面を参照しながら具体的に説明する。
【００２４】
図１において、Ａは包装体で、かかる包装体Ａは、それ自体外形が維持できない程に剛性の無い被包装物（この実施形態の場合「生八ツ橋」）１と、前記被包装物１を上面に載置する台紙２と、前記台紙２上に載置された被包装物１を外被するよう設けられたフィルム３とを有する。
【００２５】
この実施形態では、前記台紙２は、前記被包装物を引き立てる彩色がなされ且つ表面が硬化処理された、剛性を備えたやや厚い（この実施形態では厚さ約0.4ｍｍ程度の）紙によって、構成されている。  そして、前記台紙２と前記被包装物１との「くっつき（溶着）」を防止するよう、前記台紙２の表面に、ラミネート加工等の加工を施しておくことも好ましい。
【００２６】
前記台紙２は、前記被包装物１を上面に載置する載置部２Ａと、当該載置部２Ａの長手方向（図１の両方向矢視Ｘの方向参照）の一方の端２ｅから他方の端２ｆ  にわたって、上面２ｂに載置された被包装物１の上端１ｕと同じか又はより高い位置まで高さ方向に上端２ｕが位置するよう延設された立設部２Ｂと、を有する。この実施形態では、図１に図示するように、前記台紙２の立設部２Ｂの上端２ｕは、長手方向の各部位において、前記被包装物１の上端１ｕより高くなるよう構成されている。
前記フィルム３が片ガセットの形態で前記台紙２とその上の被包装物１を外被するように、且つ、当該片ガセットの形態のマチ部３ａが前記台紙２の立設部２Ｂの背面方（図１（ｂ）において左方）に位置するように、当該フィルム３の幅方向および長手方向のそれぞれの両端部が溶着シール（センターシールとトップシール）されることで、包装がおこなわれている。
【００２７】
前記台紙２は、図１に図示するように、１枚の板状の材料（紙）で構成され、前記載置部２Ａと立設部２Ｂとの境目に折り線Ｌ２が形成され、当該折り線Ｌ２で前記載置部２Ａと立設部２Ｂとが所定角度（この実施形態では挟み角が略６０度〜８０度）を形成するように、屈曲されている。
前記台紙２には、この実施形態では、前記折り線Ｌ２と平行又は略平行に（あるいは包装形態によっては平行よりやや角度（例えば、１５度〜２５度）をもって）、第２の折り線Ｌ３が形成され、かかる第２の折り線Ｌ３によって、前記立設部２Ｂの幅方向における反対側に、補助立設部２Ｃが形成されている。かかる補助立設部２Ｃは、図１（ｂ）に図示するように、前記立設部２Ｂに比べて、高さ的に低く構成されている。
かかる台紙２をこのように構成すると、図１（ｂ）に図示するように、外被するフィルム３が、前記立設部２Ｂと前記補助立設部２Ｃによって下方（内方）から支持されて、当該フィルム３が被包装物１の表面とは接触せず、つまり前記フィルム３と被包装物１との間に空隙Ｓが形成されて、被包装物１にフィルム３が接触して汚されることなく綺麗な外観が得られる。  また、前記台紙２の立設部２Ｂと補助立設部２Ｃとの間から、つまり図１（ｂ）の矢印Ｚの方向から見ると、前記フィルム３を通して、被包装物１がよく見える状態で包装される。
【００２８】
ところで、前記包装体Ａは、以下に述べる包装装置１０によって、機械的に包装することができる。つまり、前記包装装置１０は、以下の包装方法を実行することによって、前述した構成の包装体Ａを機械的に実施することができる。  以下、本実施形態にかかる包装装置１０と、包装方法について説明する。
【００２９】
本包装装置１０は、前述の如く、それ自体外形が変化する程に剛性の無い被包装物１、例えば「生八ツ橋」を、剛性を備えた前記台紙２上に載置して、これらを透明のフィルム３で機械的に外被することができるものあって、以下のような構成を具備している。
つまり、図２に図示するように、本包装装置１０は、片ガゼットの形態の横ピロー包装をおこなう包装装置本体１１と、その包装装置本体１１に前記台紙２に載置された被包装物１を供給する第１の供給コンベヤ１２および第２の供給コンベヤ１３と、脱酸素剤Ｂを供給する脱酸素剤供給装置１５を有する。
【００３０】
前記包装装置本体１１は、前記台紙２の載置部２Ａ上に載置された被包装物１をフィルム３で内包するべく、ロール１１Ｒから引き出される帯状のフィルム３を逆Ｕ字溝状に形成するフォーマー１１ｆ  と、逆Ｕ字溝状に形成されたフィルム３の幅方向（図２の紙面の奥行方向）の両端同士を長手方向に沿ってセンターシールをおこなうセンターシール部１１Ａを有する。この実施形態では、前記「幅方向の両端」は、下端に位置している。
前記センターシール部１１Ａは、左右一対になってその間に挟持したフィルム３を溶着する溶着ローラ１１ｂ，１１ｂを、前後に２組具備している。
この実施形態では、前記「左右一対になって」とは、図２の紙面奥行方向において対をなすよう配置され、奥方に位置する溶着ローラは手前側に設けられた溶着ローラ１１ｂの影に隠れて見えない状態となっている。
そして、前記センターシール部１１Ａは、内部に前記被包装物１を内包した状態で、搬送方向に沿ってシールして、帯状のフィルム３を筒状に形成する。
【００３１】
また、図２に図示するように、本包装装置本体１１は、トップシール部１１Ｂを有する。かかるトップシール部１１Ｂは、前記センターシール部１１Ａの下流方（図２において左方）に配置されている。
そして、かかるトップシール部１１Ｂは、前記の如く、前記センターシール部１１Ａにおいて筒状に成形されたフィルム３を、その幅方向（センターシールに直交する方向）にシール、つまり「トップシール」をおこなう。
このトップシール部１１Ｂでは、シール本体部１１ｅが、図２（ａ）に矢印Ｗで移動軌跡を示す如く所謂「ボックスモーション」動作をおこなって、送りコンベヤ１１ｇで搬送されている前記被包装物１に略並走しながら、前記したトップシールをおこなうよう構成されている。つまり、溶着時間を長くとりながら迅速にトップシールをおこなうことができるよう構成されている。
【００３２】
さらに、図２（Ｃ）に図示するように、前記シール本体部１１ｅを前後から挟むように動作をおこなう、前後一対状にガセット爪１１ｄ（図３（ｃ）参照）が配置された、片ガセット形成機構１１Ｄを備えている。
かかる片ガセット形成機構１１Ｄは、前記トップシールを実施する際に、前記立設部２Ｂ部分に沿ってその背面側に、袋体状に包装する前記フィルム３に所謂「マチ部（襠部）」を形成した状態でシールすることができるよう機能する。  つまり、前記立設部２Ｂの略頂部の稜線Ｌｔ（図１（ａ），（ｂ）参照）に沿うように、当該立設部２Ｂの上端２ｕ近傍でフィルム３に折り目Ｌｐ（図１（ｂ）参照）参照にが形成され、当該立設部２Ｂの背面側に前記「マチ部」が形成される。
また、前記包装装置本体１１の下流部には、フィルム３で筒状に外被された前記台紙２と被包装物１および脱酸素剤Ｂとを、前記トップシール部１１Ｂへ搬送するための、送りコンベヤ１１ｇと搬出コンベヤ１１ｈとが配置されている。
【００３３】
また、前記包装装置本体１１の上流方には、前記フォーマー１１ｆ によって逆Ｕ字状になったフィルム３へむけて被包装物１を供給する、前記第２の供給コンベヤ１２が、配置されている。
前記第２の供給コンベヤ１２は、本実施形態の場合、「デルタコンベヤ」と呼ばれる形態のコンベヤ１２Ａと、その上流方のベルトコンベヤ１２Ｂとで構成されている。
前記「デルタコンベヤ」は、幅の狭いベルトが複数並設され、当該並設されたベルトで被搬送物を搬送するよう構成されている。
【００３４】
前記第２の供給コンベヤ１２のさらに上流方には、第１の供給コンベヤ１３が配置されている。
そして、前記第１の供給コンベヤ１３と前記第２の供給コンベヤ１２との間には、脱酸素剤供給装置１５の駆動ローラコンベヤ１５Ａが配置されている。
かかる駆動ローラコンベヤ１５Ａは、図２（ｂ），図３に図示するように、この実施形態では、前後に２本配置され、互いに同期して駆動されるコンベヤローラ１５ａ，１５ｂを有する。
また、前記第１の供給コンベヤ１３の終端と前記第２の供給コンベヤ１２の始端との隙間（距離）は、脱酸素剤Ｂの長手方向の寸法と略同じに構成されている。  この実施形態の場合には、前記隙間は脱酸素剤Ｂの長手方向の寸法よりやや短く構成されているが、やや長く構成してもよい。
この実施形態では、脱酸素剤Ｂの下流側の端が、前記第２の供給コンベヤ１２のヘッドプーリ１２ａの傾斜部分に載置される程度にやや短く構成されている。
そして、前記コンベヤローラ１５ａ，１５ｂの上端のレベルは、図３に示すように、前記第１の供給コンベヤ１３の搬送レベルよりやや低く（２ｍｍ〜７ｍｍ程度低く）なるよう構成されている（レベル差を示す図３の記号「ｈ」参照）。  つまり、前記脱酸素剤Ｂの厚みと同じかあるいはそれよりやや低く構成されている。
また、コンベヤローラ１５ａ，１５ｂの周速度は、前記第１の供給コンベヤ１３の搬送速度と同じに構成されているが、やや速くなるように構成していてもよい。
そして、前記第１の供給コンベヤ１３の近傍（例えば、終端部近傍）には、搬送される被包装物１を載置した台紙２が終端部に来るとそれを検知する検知装置２１（図４参照）が配置され、かかる検知装置２１で被包装物１が搬送されてきたことを検知すると、この被包装物１に合わせて前記駆動ローラコンベヤ１５Ａが始動し、つまり前記コンベヤローラ１５ａ，１５ｂが回転するように構成されている。  このため、前記脱酸素剤Ｂは、前記台紙２の下方に正確に位置した状態で下流側の第２の供給コンベヤ１２へ供給されることになる。
【００３５】
また、前記脱酸素剤供給装置１５は、図３に図示するように、前記コンベヤローラ１５ａ，１５ｂの下方に開口を有する負圧装置１５Ｆを備え、前記コンベヤローラ１５ａ，１５ｂ上の前記脱酸素剤Ｂを、負圧によって、その位置に保持するよう構成されている。かかる負圧装置１５Ｆは、図示しない開閉バルブの開閉により、負圧を形成したり大気圧に戻したりすることができる。つまり、前記脱酸素剤Ｂの上方に前記台紙２が到達すると前記開閉バルブを閉じて、保持している前記脱酸素剤Ｂを解放して、前記駆動ローラコンベヤ１５Ａで搬送（搬出）する。  この実施形態では、前記脱酸素剤Ｂの上方に前記台紙２が到達するのは、検知装置２２（図４参照）によって、検知される。
さらに、図３に図示するように、前記コンベヤローラ１５ａ，１５ｂの上方には、切断装置１５Ｃと供給機構１５Ｍとが配置されている。
前記切断装置１５Ｃは、ロール状に巻かれ前記切断装置１５Ｃ近傍において上下に列状に繋がって供給される脱酸素剤Ｂを、それぞれ１つに切り離す。
また、前記供給装置１５Ｍは、先端の吸引パッド１５ｐで前記切り離した脱酸素剤Ｂを吸着し、その後端側に配置された回転伸縮機構１５Ｇで、当該脱酸素剤Ｂを前記コンベヤローラ１５ａ，１５ｂの上面に載置する。
前記切断装置１５Ｃは、後述する制御装置１６（図４参照）によりＯＮ−ＯＦＦできるよう構成されている。
また、前記供給装置１５Ｍも、前記制御装置１６によって、前記吸引パッド１５ｐの吸着保持および解放と、前記回転伸縮機構１５Ｇの回転伸縮動作をおこなうように、制御される。
つまり、前記回転伸縮機構１５Ｇは、前記制御装置１６の制御により、図３の矢印「Ｒ」で示す如く、図示しないアクチュエータの動作により、回転軸Ｏを中心に略水平状態（二点鎖線で示す状態）から垂直状態（実線で示す状態）まで、略９０度の範囲で回動動作する。  また、図３の記号「Ｒ１」あるいは「Ｒ２」で示す如く、前記回転軸Ｏに配置された基部１５Ｂに対して、エアシリンダ等でロッド１５ｒが伸縮動作して、図３の移動軌跡Ｑに示す如く、当該ロッド１５ｒの先端に配置された前記吸引パッド１５ｐで吸着した脱酸素剤Ｂを、前記コンベヤローラ１５ａ，１５ｂの上面（搬送面）に載置するよう構成されている。
また、前述のように、前記吸引パッド１５ｐは、負圧発生装置１５Ｆの負圧源につながる管路の図示しない開閉バルブを介して、配管が接続され、前記制御装置１６の制御により、吸引可能な状態を形成することができる。
【００３６】
前記包装装置１０のモータやシリンダ等の各アクチュエータ、開閉バルブや各位置に設けられた複数の検知装置は、図４のブロック図に示す如く、制御装置１６に信号線で接続されており、制御装置１６からの信号によって、所定の包装をおこなうよう構成されている。
【００３７】
前述のように構成された本実施形態にかかる包装装置１０は、以下のように動作して、本実施形態にかかる包装方法を実施する。  つまり、台紙２上に載置された被包装体１を、前記した包装体Ａに包装することができる。
以下、前記包装装置１０の制御装置１６による制御内容と共に、本包装装置１０の包装動作について、つまり包装方法について、説明する。
【００３８】
本包装装置１０の始動スイッチをＯＮして、前記台紙２上に載置された被包装物１を第１の供給コンベヤ１３の搬送面に機械的に又は手で順次載置してゆくと、かかる第１の供給コンベヤ１３によって前記駆動ローラコンベヤ１５Ａへと搬送されてゆく。
そして、被包装物１が前記第１の供給コンベヤ１３の終端に近づくと、ここに配置された前記検知装置２１が当該被包装物１を検知する。
一方、前記始動スイッチをＯＮすることによって、前記脱酸素剤供給装置１５は、脱酸素剤Ｂを前記駆動ローラコンベヤ１５Ａ上に供給する。つまり、図２，図３に示すように、駆動ローラコンベヤ１５Ａのコンベヤローラ１５ａ，１５ｂ上に脱酸素剤Ｂを供給し、前記負圧装置１５Ｆが脱酸素剤Ｂを保持する。
そして、図３に図示するように、脱酸素剤Ｂの上面上に、前記台紙２に載置された被包装物１が、重なるような状態で載って、前記駆動ローラコンベヤ１５Ａの回転動作により、下流側の第２の供給コンベヤ１２（１２Ｂ，１２Ａ）へ搬送される。  ここで、前記「台紙２上に載置された被包装物１」が脱酸素剤Ｂ上に到達すると前記検知装置２２によって検知されることによって、停止していた前記駆動ローラコンベヤ１５Ａが回転する。
そして、前記駆動ローラコンベヤ１５Ａ上に脱酸素剤Ｂがなくなると、駆動ローラコンベヤ１５Ａ近傍に設けられた検知装置２３（図４参照）がそれを検知して、再び前記した同じ手順で、新たな脱酸素剤Ｂをコンベヤローラ１５ａ，１５ｂ上に供給する。
一方、第２の供給コンベヤ１２（１２Ｂ，１２Ａ）へ搬送された前記台紙２に載置された被包装物１とその下方に重なるように位置する脱酸素剤Ｂとは、その状態を維持したまま、さらに下流側の包装装置本体１１へ搬送される。
また、前記包装装置本体１１では、前記フォーマー１１ｆによって逆Ｕ字溝状に形成されたフィルム３の下方空間に、一体になった前記台紙２と被包装物１および前記脱酸素剤Ｂとが搬入され、下流側で前記センターシール部１１Ａによってセンターシールがおこなわれる。
次に、センターシールによって筒状にフィルム３で外被された状態の前記台紙２と被包装物１および脱酸素剤Ｂは、前記送りコンベヤ１１ｇでさらに下流側へ搬送されて、その下流側の前記搬出コンベヤ１１ｈとの間に配設されている、前記トップシール部１１Ｂによって、まず筒状のフィルム３の一端（下流端：図２において左端）が片ガゼットの形態でトップシールされる。
このトップシールによって、内部に前記台紙２と被包装物１および脱酸素剤Ｂとを収容した筒状のフィルム３の先端（図２において左端）が封止される。
続いて、前記コンベヤ１１ｇと前記搬出コンベヤ１１ｈとによって、さらに下流側に包装体Ａの長さ相当分だけ搬送されて、内部に前記台紙２と包装物１および脱酸素剤Ｂとが入り且つ先端が封止された筒状のフィルム３の後端（図２において右端）が、片ガゼットの形態でトップシールされる。かかるフィルム３の先端と後端のトップシールによって、下方に脱酸素剤Ｂが位置し上方に被包装物１を載置した台紙２は、片ガゼットの形態で横ピロー包装されることになる。つまり、本包装装置１０によって、図１に示す包装体Ａができるあがることになる。
【００３９】
前述のような、一連の包装工程が前記包装装置１０によって実行されることによって、前述した包装体Ａがなされることになる。
【００４０】
なお、前記実施形態は単なる１つの実施形態であって本発明の技術的思想を逸脱しない範囲で、種々の形態で実施できることは言うまでもない。
【産業上の利用可能性】
【００４１】
本発明は、包装の産業分野において利用することができる。
【符号の説明】
【００４２】
Ａ …包装体
１  …被包装物
２  …台紙
２Ａ…載置部
２Ｂ…立設部
２ｅ…台紙の一方の端
２ｆ…台紙のもう一方の端
３  …フィルム
【図１】
0006539137.tif 000002
【図２】
0006539137.tif 000003
【図３】
0006539137.tif 000004
【図４】
0006539137.tif 000005